(57)【要約】【課題】低コストで簡易に任意形状が形成可能で、かつ、効率的に水質の浄化が可能な人工緑地の構築方法を提案することにある。【解決手段】複数の多孔質透水性コンクリートブロック２を、所望の形状となるように地盤上に配置し、治具により連結することで外周壁Ｗを形成し、前記外周壁Ｗの内部に多孔質透水性素材５を所定の高さまで充填し、前記多孔質透水性素材５の上面に不織布４を敷設し、前記不織布４の上に植栽土３を敷きならすことで人工緑地１を構築する。なお、前記外周壁Ｗは、所定の隙間を開けて連結した前記多孔質透水性コンクリートブロック２より構築される。【選択図】    図１
2004225270.tif 000002
【特許請求の範囲】
【請求項１】
複数の多孔質透水性コンクリートブロック部材を、所望の形状となるように地盤上に配置し、治具により連結することで外周壁を形成し、前記外周壁の内部に多孔質透水性素材を所定の高さまで充填し、前記多孔質透水性素材の上面に不織布を敷設し、前記不織布の上に植栽土を敷きならすことを特徴とする人工緑地の構築方法。
【請求項２】
請求項１に記載の人工緑地の構築方法であって、
前記外周壁は、前記多孔質透水性コンクリートブロック部材を所定の隙間を開けて連結することにより形成されていることを特徴とする人工緑地の構築方法。
【発明の詳細な説明】
【０００１】
【発明の属する技術分野】
本発明は、河川、湖沼、池、水路などにおける水辺の人工緑地の構築方法に関する。
【０００２】
【従来の技術】
河川、池、湖沼などの水辺開発は、治水面や効率面に重点をおいたことにより、コンクリート三面張りの河川・水路や、水際から垂直にコンクリート構造物や石垣などを立ち上げた池・湖沼など、閉鎖的な水域が多く、富栄養化の進行等による水質の悪化や当該地域の生態系に対する影響が問題となっている。
【０００３】
このような問題を打開すべく、近年では人工緑地を形成し、水域の緑化や生物の生息地の提供を図ると共に、植物を利用した環境浄化技術（ファイトレメディエーション）や多孔質コンクリートに付着した生物の有機物分解能力による、水質の改善を図る技術が取り入れられている。このような、環境保全を考慮した人工緑地は、水辺斜面の延長上に形成されるいわゆる護岸工が主流であり、例えば、特許文献１に示すようなポーラスコンクリートを使用した護岸工がある。このポーラスコンクリートを使用した護岸工は、植物による緑化、水質の浄化及び小動物の生息空間の確保等を可能としている。
【０００４】
【特許文献１】
特開２００２−１８８１３１号公報（段落００１０〜００１４、図６）
【０００５】
【発明が解決しようとする課題】
このような環境保全機能を備えた従来の人工緑地の施工方法は、ポーラスコンクリートブロック、異形ブロック、穴開きブロック等を水辺に階段状に積上げ、これらのブロック材の背面に、ポーラスコンクリートブロックなどによるろ過材及び植栽土を充填することで水質浄化及び緑化する方法をとっていた。しかし、これらのブロック材は重量物であるため、設置に重機を使用する必要があり、重機の進入路や作業スペースを確保する必要があるなど、準備工に手間がかかり、施工費にも影響をきたしていた。また、ブロックの積上げによる人工緑地の形成は、任意の形状を形成することは難しく、比較的単調な形状になりがちであった。さらに、水辺に形成された人工緑地は、斜面の延長上に形成する場合が多く、水とろ過材であるポーラスコンクリートブロックとの接触面が少なくなるため、水質浄化の効率が低減してしまうという問題があった。
【０００６】
本発明は、上述のような従来技術の問題点に鑑みてなされたものであり、低コストで簡易に任意形状が形成可能で、かつ、効率的に水質の浄化が可能な人工緑地の構築方法を提案することにある。
【０００７】
【課題を解決するための手段】
このような課題を解決するために、請求項１の発明は、複数の多孔質透水性コンクリートブロック部材を、所望の形状となるように地盤上に配置し、治具により連結することで外周壁を形成し、前記外周壁の内部に多孔質透水性素材を所定の高さまで充填し、前記多孔質透水性素材の上面に不織布を敷設し、前記不織布の上に植栽土を敷きならすことを特徴とする。
【０００８】
かかる人工緑地の構築方法により、外周壁として多孔質透水性コンクリートブロック部材を組み合わせて構築する為、現地地形に合せた任意の形状を小規模なものから大規模なものまで容易に形成することが可能となる。また、多孔質透水性コンクリートブロック部材は、一定の形状で統一が可能なため、生産コストの低減が可能で、取り扱いも容易となり、施工性にも優れる。
【０００９】
また、外周壁として現地地形及び水位に合せた形状の多孔質透水性コンクリートブロック部材の使用、及び充填材として多孔質透水性素材（ポーラスコンクリートブロック、栗石、ゼオライト、木炭など）の使用により、効果的な水との循環接触が可能となる。このため、多孔質透水性コンクリートブロック部材や多孔質透水性素材に生息するバクテリアや原生動物等の生物による水中の有機物の分解や、人工緑地の植物の根が前記各部材の隙間や孔を通って直接水に接触することにより水中の窒素やリンを吸収し植物プランクトンの発生を抑制するなどのファイトレメディエーションの効果により、効率的な水質浄化が可能な人工緑地を構築することができる。また、人工緑地の植栽土は、常に湿潤状態にあるため、散水することなく植物が生長し、鳥や昆虫等の生物の生息場とすることができ、かつ、水面下ではポーラスコンクリートブロックの隙間やひげ根付近が魚や水生昆虫の棲家となるため、人工緑地周辺では、緑地と水中部で生態系の形成が期待できる。
【００１０】
請求項２の発明は、請求項１に記載の人工緑地の構築方法であって、前記外周壁は、前記多孔質透水性コンクリートブロック部材を所定の隙間を開けて連結することにより形成されていることを特徴とする。
【００１１】
かかる人工緑地構築方法は、多孔質透水性コンクリートブロック部材の隙間を開けて連結することで水の通水性を高め、これにより水と微生物の付着した人工地盤面との接触面を大きくすることができるため、水質浄化機能を高めることが可能となる。
【００１２】
【発明の実施の形態】
以下、添付図面を参照して、本発明の実施の形態を詳細に説明する。なお、説明において、同一要素には同一の符号を用い、重複する説明は省略する。
【００１３】
（第一の実施の形態）
図１（ａ）は、第一の実施の形態に係る人工緑地の斜視図であり、図１（ｂ）は、図１（ａ）における人工緑地の断面図である。図１（ｃ）は、図１（ｂ）に示すＸ−Ｘ’断面の平断面図であり、人工緑地内に充填された各材料の層を示している。また、図２（ａ）は、図１（ａ）における人工緑地の外周壁内面の連結構造を示したの拡大斜視図であり、図２（ｂ）は、図２（ａ）における人工緑地の外周壁の分解斜視図である。
【００１４】
本発明を適用して構築される人工緑地１は、複数の多孔質透水性コンクリートブロック２（以下「ポーラスコンクリート板」という）から形成される外周壁Ｗと、その内部の多孔質透水性素材５と不織布４と植栽土３とから形成される。
【００１５】
続いて人工緑地１の構築方法について説明する。図１（ａ）に示すように、水深より長い板状のポーラスコンクリート板２を縦方向に置き、構築を希望する外周壁Ｗの形状に適合するように桶のような円形状に形成して、外周壁Ｗを構築する。
【００１６】
人工緑地１を形成する際、図２（ａ）に示すように、各ポーラスコンクリート板２の連結には、治具６を使用する。このとき、各ポーラスコンクリート板２は、水の通水性を考慮した所定の幅の隙間Ｓを開けて連結するものとする。
【００１７】
また、図２（ｂ）に示すように、本実施の形態におけるポーラスコンクリート板２の内側面には、上下左右の４箇所に治具定着用の治具凹部２２が形成されている。この治具凹部２２の所定の位置には、ボルト６２を螺合するためのボルト孔２１がそれぞれ形成されている。
【００１８】
ポーラスコンクリート板２の連結に使用する治具６は、平板６１とボルト６２からなり、平板６１は、図２（ｂ）に示すように、薄厚の長方形の板からなり、現地の設置状況に応じた所定の形状に人工緑地１の外周壁Ｗを形成できるように、適当な角度に折り曲げて使用する。この平板６１を介してポーラスコンクリート板２の相対する長辺の上下を所定の数だけ内側から連結することにより円形に形成された人工緑地１の外周壁Ｗが完成する。また、平板６１には左右の各辺に、ポーラスコンクリート板２を連結する際、所定の隙間Ｓが形成できるようにそれぞれボルト挿通孔６３が所定の位置に貫通されている。なお、各ボルト挿通孔６３は、人工緑地組立時において、多少のずれに対応できるように、略楕円形に形成し、自由度をもたせる。
【００１９】
図１（ｂ）、（ｃ）に示すように、外周壁Ｗの内部には、多孔質透水性素材５を中詰材として水深に対して所定の深さまで充填する。その上に植栽土３をポーラスコンクリート板２上端付近まで所定の厚さで敷設するが、植栽土３が、ポーラスコンクリート板２の隙間から漏れたり、多孔質透水性素材５の間にこぼれたりすることのないように、植栽土３とポーラスコンクリート板２、植栽土３と多孔質透水性素材５との間にはそれぞれ不織布４を敷設する。また、植栽土３には環境に応じた植物３１を植栽するものとする。
【００２０】
人工緑地１の外周壁Ｗを形成するポーラスコンクリート板２は透水性であり、所定の隙間Ｓを開けて連結されていることから周囲から水の供給を受けるため、植栽土３は常に湿潤状態であり、散水をすることなく植物３１が生長することができる。植物３１の生長に伴い、鳥や昆虫などの動物の生息地となることや、景観がより自然環境に近くなるなど、水辺環境の復元を可能にする。また、ポーラスコンクリート板２の透水性や隙間Ｓにより、水を多孔質透水性素材５に循環接触することができ、ポーラスコンクリート板２及び多孔質透水性素材５に生息するバクテリアや原生動物等の生物により、水中の有機物が分解され、水質浄化が行われる。
【００２１】
（第二の実施の形態）
図３（ａ）は、第二の実施の形態にかかる人工緑地１の配置を示す平面図であり、図３（ｂ）は、図３（ａ）に示す人工緑地１における複数の多孔質透水性コンクリートブロックの組立方法を示す平断面図であり、図３（ｃ）は、図３（ｂ）の多孔質透水性コンクリートブロックの側面図である。また、図３（ｄ）は、図３（ａ）に示す人工緑地１の側方断面図である。
【００２２】
本実施形態にかかる人工緑地１は、図３（ａ）に示すとおり、河川、湖沼又は水路等に人工緑地１を形成し、直線的で単調な形状を、変化のある流路に形成するものである。本実施形態では、ポーラスコンクリート板２を上方から見て開口面が陸側に向いた略コの字になるように組み立てることで、人工緑地１を形成している。
【００２３】
ポーラスコンクリート板２の組み立て方法は、治具６を使用して行うが、本実施形態では、ポーラスコンクリート板２を直線的に接続する第１治具６Ａとポーラスコンクリート板２を所定の角度に曲げて接続できる第２治具６Ｂとの２種類の治具６を使用するものとする。
【００２４】
第１治具６Ａは、薄厚の長方形の平板６１Ａとボルト６２とで構成されている。ポーラスコンクリート板２を連結する際には、ポーラスコンクリート板２の内側と外側から平板６１Ａで挟み、それをボルト６２にて締着させるものとする。このとき、図３（ｂ）及び（ｃ）に示すように、第１治具６Ａを使用して接続されたポーラスコンクリート板２の間には、隙間Ｓが形成される。この構築方法により、水が透水性であるポーラスコンクリート板２及び各ポーラスコンクリート板２間の隙間Ｓを通り、人工緑地１内の多孔質透水性素材５は、水と循環接触するため、ポーラスコンクリート板２及び多孔質透水性素材５に生息するバクテリアや原生動物等の生物により、水中の有機物が分解され、水質浄化が行われる。
【００２５】
また、人工緑地１の角部には、第２治具６Ｂを使用するものとし、第２治具６Ｂは、ポーラスコンクリート板２の内側面に配置する一枚の内平板６１Ｂｉと外側面に配置する２枚の外平板６１Ｂｏと２本のボルト６２にて構成されている。内平板６１Ｂｉは、薄厚の長方形の平板で中央が所定の角度で折れ曲った形に形成されている。一方、外平板６１Ｂｏは、薄厚の長方形の平板で、人工緑地１の角部に連結するそれぞれのポーラスコンクリート板２外面の所定の位置に配置され、内面に配置された内平板６１Ｂｉと、ボルト６２を介してポーラスコンクリート２を挟持し、連結する。
【００２６】
なお、ポーラスコンクリート板２、植栽土３、不織布４、多孔質透水性素材５植物３１等の構成は、前記した第一の実施の形態に係る人工緑地１と同様であるので詳細な説明は省略する。
【００２７】
本発明の構築方法により、直線的で単調な河川や水路あるいは湖沼等の水辺において、容易に人工緑地の構築による変化のある水辺環境に改善することができる。なお、この人工緑地と植栽による自然環境に近い水辺環境の形成により、水の流れが緩やかになり、動植物が生息しやすい、自然環境の復元が可能となる。また、水質浄化機能のある人工緑地により、水質の改善にも効力を発揮させることができる。
【００２８】
（第三の実施の形態）
図４は、図３に示す第二の実施の形態において人工緑地１の外周壁として使用したポーラスコンクリート板２に代えて、透水性の水棲ポット７を使用した場合の人工緑地１の構造を示している。図４（ａ）は、人工緑地１の配置を示す平面図であり、図４（ｂ）は、側方断面図である。
【００２９】
水棲ポット７は、ポーラスコンクリート板２と同様に多孔質透水性コンクリートブロックにより形成されており、自立可能な多角形（本実施形態では六角形）あるいは円形に形成された多孔質透水性コンクリートブロックであって、内部に植栽ができるように筒状になっている。水棲ポット７の内部には植栽土３が充填され、植物３１が植えられている。人工緑地１の構築時には、水棲ポット７を図示しない治具を介して隙間を開けて所定の形状に並べていく。このため、水が各水棲ポット７間の隙間及び透水性である水棲ポット７を通り、人工緑地１内の多孔質透水性素材５は水と循環接触するため、水棲ポット７及び多孔質透水性素材５に生息するバクテリアや原生動物等の生物により水中の有機物が分解され、水質浄化が行われる。なお、本実施形態では、水棲ポット７同士を接続する治具を使用したが、状況に応じて治具を使用しなくても良い。
【００３０】
なお、水棲ポット７、植栽土３、不織布４、多孔質透水性素材５植物３１等の構成は、前記した第一の実施の形態及び第二の実施の形態に係る人工緑地１と同様であるので詳細な説明は省略する。
【００３１】
本実施の形態を採用することにより、第二の実施の形態と同様の効果を得ることができ、水辺環境の改善が可能となる。
【００３２】
以上、本発明に係る人工緑地の構築方法の実施形態について説明したが、本発明はこれに限定されるものではなく、発明の趣旨に応じた様々な変更実施が可能である。例えば、前記した各実施形態では、水の流れによる自然循環方式を採用したが、人工緑地内に釜場などを設置して、ポンプなどにより人工的に水の流れを形成し、人力循環方式により効率的に水質浄化を行ってもよい。
【００３３】
また、前記した各実施形態では、多孔質透水性コンクリートブロック間に隙間を開けて構築したが、現地の状況に応じた水質の改善が可能であれば、隙間を設けずに人工緑地を構築しても良い。
【００３４】
また、第一の実施の形態で構築した人工緑地は、多孔質透水性コンクリートブロックを円形に並べることで形成したが、人工緑地の構築方法はこの限りではなく、多角形やめがね状に形成するなど、その形状は限定されるものではない。同様に、第二及び第三の実施の形態で構築した人工緑地は、多孔質透水性コンクリートブロックに所定の角度をつけて連結することで略コの字状に構築したが、人工緑地の構築方法はこの限りではなく、角度をつけずに円形で形成するなど、その形状は限定されるものではない。
【００３５】
また、前記した各実施形態において外周壁として使用した多孔質透水性コンクリートブロックの形状は、今回使用した板状のもの以外にも擬木・擬石などのようにより自然環境に近づける加工を施したものを使用するなど、制限されるものではない。同じく各実施形態において使用された透水性素材である充填材の多孔質透水性素材及び不織布の形状及び材質は制限されるものではない。
【００３６】
また、前記した各実施形態において各外周壁を連結するために使用した治具に関しても、第一の実施の形態で使用した内側から螺合するものや、第二の実施の形態で使用した外周壁の内外から挟持するものに限らず、外側から螺合するものを使用するなど、外周壁の形成が可能であれば、治具の形状・寸法や外周壁の連結方法は特に限定されない。
【００３７】
【発明の効果】
本発明の請求項１に係る発明によれば、一定の形状で統一された多孔質透水性コンクリートブロック部材を外周壁として組み合わせて構築する為、経済的で、施工性にも優れており、現地地形に合せた任意の形状の人工緑地を容易に形成することが可能となる。
【００３８】
また、多孔質透水性コンクリートブロック部材の使用、及び充填材として多孔質透水性素材（ポーラスコンクリートブロック、栗石、ゼオライト、木炭など）を使用することにより、水と循環接触させることで、上記部材に生息する生物による有機物の分解が可能となり、水質の浄化機能が得られる。また、人工緑地の植栽土は常に湿潤状態にあるため、散水することなく植物が生長し鳥や昆虫の生息場になり、一方水面下では、ポーラスコンクリートの隙間やひげ根周辺に生態系が形成でき、水辺環境の改善の推進が可能となる。
【００３９】
本発明の請求項２に係る発明によれば、多孔質透水性コンクリートブロック部材の隙間を開けて連結することで、水の通水性を高め、水と微生物の付着した人工地盤面との接触面を大きくすることで、水質浄化機能を高めることを可能となる。
【図面の簡単な説明】
【図１】第一の実施の形態にかかる人工緑地の図であり、（ａ）は人工緑地の斜視図、（ｂ）は図１（ａ）における人工緑地の断面図、図１（ｃ）は図１（ｂ）に示すＸ−Ｘ’断面の平断面図である。
【図２】第一の実施の形態にかかる人工緑地の外周壁の斜視図であり、（ａ）は外周壁の連結構造を示した斜視図、（ｂ）は外周壁の分解斜視図である。
【図３】第二の実施の形態にかかる人工緑地の図であり、（ａ）は人工緑地の配置を示す平面図、（ｂ）は複数の多孔質透水性コンクリートブロックの組立方法を示す平断面図、（ｃ）は多孔質透水性コンクリートブロックの側面図、（ｄ）は人工緑地の側方断面図である。
【図４】第二の実施の形態にかかる人工緑地の図であり、（ａ）は配置を示す平面図、（ｂ）は人工緑地の側方断面図である。
【符号の説明】
１          人工緑地
２          多孔質透水性コンクリートブロック（ポーラスコンクリート板）
２１        ボルト孔
３          植栽土
３１        植物
４          不織布
５          多孔質透水性素材
６          治具
６１        平板
６２        ボルト
６３        ボルト挿通孔
７          多孔質透水性コンクリートブロック（水棲ポット）
Ｗ          外周壁
Ｓ          隙間
【図１】
2004225270.tif 000003
【図２】
2004225270.tif 000004
【図３】
2004225270.tif 000005
【図４】
2004225270.tif 000006